【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
画像処理システムであって、
１つ又はそれより多いメモリに結合された１つ又はそれより多いプロセッサと、
デジタルコラージュを自動的に生成するために、複数のデジタル画像を受信するように構成された入力と、
前記１つ又はそれより多いプロセッサによって実現される第１のモジュールであって、前期画像処理システムを制御するために、アプリケーションによって使用されるように構成されるアプリケーション・プログラミング・インターフェイスを提供し、前記受信された画像の寸法を変更して、前記画像の各々が、正規化された寸法要求と一致するように構成される、第１のモジュールと、
前記１つ又はそれより多いプロセッサによって実現される複数の事前計算モジュールであって、各モジュールが前記第１のモジュールへのインターフェイスを有し、
各モジュールが、複数の画像において、ランクを決定する際、及び、関心領域を特定する際、に使用される情報を計算するようにように構成される、複数の事前計算モジュールと、
前記第１のモジュールへのインターフェイスを有する画像合成モジュールであって、前記１つ又はそれより多いプロセッサによって実現され、前記複数のデジタル画像の少なくともいくつかから、前記事前計算モジュールによって計算された前記情報に基づいて、デジタルコラージュを自動的に生成するように構成される、画像合成モジュールと、
を備える画像処理システム。
【請求項２】
請求項１に記載の画像処理システムであって、
前記画像の、ランク及び関心領域を決定するために、前記事前計算モジュールによって計算される、対応する情報の重要度を制御するために、前記事前計算モジュールに、アプリケーションのユーザによって調整可能な重み付けが与えられる、
画像処理システム。
【請求項３】
請求項１に記載の画像処理システムであって、
前記第１のモジュールが、各々の画像が如何に多くの情報を含むかに基づいて、受信されたデジタル画像をランク付けして、近接する複製を拒絶するように構成される、
画像処理システム。
【請求項４】
各事前計算モジュールの出力は、値の２次元配列である潜在的行列を備え、各値は画像ブロックに関連付けられていることを特徴とする請求項１に記載の画像処理システム。
【請求項５】
前記事前計算モジュールの１つは、ガウス分布に従って重み付けを備える潜在的行列を生成するように構成されることを特徴とする請求項４に記載の画像処理システム。
【請求項６】
前記事前計算モジュールの１つは、所定の画像に対して、その画像から計算されたコントラスト値を備える顕在性の潜在的行列を生成するように構成されることを特徴とする請求項４に記載の画像処理システム。
【請求項７】
前記事前計算モジュールの１つは、所定の画像に対して、その画像から検出された顔に関する情報を備える顔の潜在的行列を生成するように構成されることを特徴とする請求項４に記載の画像処理システム。
【請求項８】
前記１つ又はそれより多い事前計算モジュールによって計算された情報に基づいて、前記第１のモジュールはまた複数のデジタル画像の各々に対して関心領域を決定するように構成されることを特徴とする請求項１に記載の画像処理システム。
【請求項９】
前記アプリケーションプログラミングインターフェイスは、特定の受信した画像の計算された関心領域が変更されるようにすることができる関数を備えることを特徴とする請求項１に記載の画像処理システム。
【請求項１０】
前記アプリケーションプログラミングインターフェイスは、前記第１のモジュールによって決定された受信した画像のランクがオーバーライドされるようにすることができる関数を備えることを特徴とする請求項１に記載の画像処理システム。
【請求項１１】
請求項８に記載の画像処理システムであって、
関心領域に含まれる情報量が、必ず、前記画像に含まれるトータルの情報量に関して指定された閾値より多い、画像処理システム。
【請求項１２】
請求項８に記載の画像処理システムであって、
関心領域として顔が特定され、関心領域の中に顔全体が含まれる、
画像処理システム。
【請求項１３】
請求項８に記載の画像処理システムであって、
前記画像合成モジュールが、最適化工程を適用して、出来るだけ多くの関心領域を、前記デジタルコラージュの所定の幅と高さの中にパッキングし、出来るだけ多くのコラージュ・ピクセルが、前記関心領域に重なること無しに、いくつかの入力画像によって覆われる、
画像処理システム。
【請求項１４】
請求項１に記載の画像処理システムであって、
前記画像処理システムを制御するように構成されるアプリケーションを更に備え、
前記アプリケーションが、ディスプレイにおいてユーザ・インターフェイスを表示するように構成され、
前記ユーザ・インターフェイスが、事前計算モジュールの選択、及び、選択された事前計算モジュールの結果と関連して使用される相対的重み付けの選択、を制御するための項目を備える、
画像処理システム。
【請求項１５】
画像処理の方法であって、
１つ又はそれより多いプロセッサによって実現される第１のモジュールによって、デジタルコラージュ内へ包含させるための複数のデジタル画像を受信するステップと、
前記第１のモジュールにおいて、１つ又はそれより多いプロセッサによって実現され、前記画像処理の方法を制御するために、アプリケーションによって使用されるように構成される、アプリケーション・プログラミング・インターフェイスを、少なくとも提供するステップと、
前記画像の各々に対して、ランク、及び、関心領域を決定する際に使用されるべき情報を計算するために、１つ又はそれより多いプロセッサによって実現される複数の事前計算モジュールを使用するステップであって、各事前計算モジュールが、前記第１のモジュールへのインターフェイスを有するものと、
領域のピクセルを出来るだけ多く重ねる一方、複数の関心領域が重畳されることを許容せずに、出来るだけ多くの最高ランクを有する画像を、デジタルコラージュのために指定された領域の中に位置付けすることにより、前記事前計算モジュールによって計算される情報に基づいて、前記複数のデジタル画像の少なくともいくつかからデジタルコラージュを自動的に生成するために、１つ又はそれより多いプロセッサによって実現され、前記第１のモジュールへのインターフェイスを有する、画像合成モジュールを使用するステップと、
を備えることを特徴とする画像処理の方法。
【請求項１６】
前記第１のモジュールを使用して、画像の各々が、正規化された寸法要求に一致するように、前記受信したデジタル画像の前記寸法を変更するステップを備えることを特徴とする請求項１５に記載の方法。
【請求項１７】
１つ又はそれより多い事前計算モジュールによって計算された情報を用いて、前記第１のモジュールを使用して、少なくとも１つのメトリックに基づいて前記受信したデジタル画像をランク付けするステップを備えることを特徴とする請求項１５に記載の方法。
【請求項１８】
各事前計算モジュールを使用して、値の２次元配列である潜在的行列を生成するステップであって、各値は画像ブロックに関連付けられているステップを備えることを特徴とする請求項１５に記載の方法。
【請求項１９】
前記画像の、ランク、及び、関心領域を決定するために、前記事前計算モジュールによって計算された、対応する情報の重要性を制御するために、アプリケーションのユーザによって調整可能な重み付け値を前記事前計算モジュールに与えるステップを更に含む、
請求項１８に記載の方法。
【請求項２０】
画像処理の方法であって、
１つ又はそれより多いプロセッサによって実現される第１のモジュールによって、デジタルコラージュを自動的に生成する際に使用するための、複数のデジタル画像を受信するステップと、
１つ又はそれより多いプロセッサによって実現されるアプリケーション・プログラミング・インターフェイスを提供するステップであって、当該インターフェイスが、前記画像処理の方法を制御するために、アプリケーションによって使用されるように構成されるものと、
１つ又はそれより多いプロセッサによって実現される第２のモジュールによって、受信されたデジタル画像の寸法を変更して、画像の各々が、一様（uniform）サイズの正規化された寸法要求に一致するようにするステップと、
１つ又はそれより多いプロセッサによって実現される第３のモジュールによって、各画像に如何に多くの情報が含まれるかに基づいて、互いに比較して（relative to）画像をランク付けして、近接する複製を拒絶するステップと、
１つ又はそれより多いプロセッサによって実現される第４のモジュールによって、指定された制約に基づいて、受信された画像の各々に対して関心領域を計算するステップと、
１つ又はそれより多いプロセッサによって実現される第５のモジュールによって、出来るだけ多くの最高ランクを有する画像を、領域の出来るだけ多くのピクセルを覆いつつ、複数の関心領域が重ならせずに、前記デジタルコラージュに対して指定される領域内に配置するステップと、
１つ又はそれより多いプロセッサによって実現される第６のモジュールによって、エッジ依存の混合工程を用いることによって、領域内に配置された隣接画像を混合することにより、画像の間に、基となるシャープなエッジの存在または不在に、それぞれ従って、固有の境界に沿って切り取ること、及び、透明に混合することを自動的に切り替える継ぎ目が作成されるステップと、
を含む、画像処理の方法。